(57)【要約】【課題】手前側に開閉する開閉部材を有する可変入賞装置、或いは側方に開閉する羽根部材を有する役物装置を備えた遊技機において、開閉部材、或いは羽根部材が不正に開かれて入賞させる不正行為を役物装置の構造自体で防止することである。【解決手段】開閉部材Ｄの表面に凹部２６が形成され、周縁部に段差部２７が形成された可変入賞装置Ａを備えた遊技機であって、前記段差部２７には面取りが施された構成とする。【選択図】        図８
2004329466.tif 000002
【特許請求の範囲】
【請求項１】
開閉部材の表面に凹部が形成され、周縁部に段差部が形成された可変入賞装置を備えた遊技機であって、前記段差部には面取りが施されていることを特徴とする遊技機。
【発明の詳細な説明】
【０００１】
【発明の属する技術分野】
本発明は、手前側に開閉する開閉部材を有する可変入賞装置、或いは側方に開閉する羽根部材を有する役物装置を備えた遊技機に関し、更に詳しくは、前記開閉部材、或いは羽根部材が不正に開かれるのを構造的に防止した遊技機に関するものである。
【０００２】
【従来の技術】
パチンコ機の一つとして、始動入賞口に遊技球が入賞すると、特別図柄表示装置が作動して図柄変動を開始し、所定時間経過後に停止した複数の図柄の組み合せが特定の組み合せとなると、遊技者に特定の権利が発生して、「大当り遊技」が開始されて、可変入賞装置の開閉部材が手前側に開いて可変入賞口（大入賞口）が所定時間、或いは所定個数の入賞があるまで開口し続けるものがある（例えば、特許文献１参照）。
【０００３】
【特許文献１】
特開２００１−２４６０７２号公報
【０００４】
そして、図６及び図７に示されるように、可変入賞装置Ａ’の開閉部材Ｄ’の表面（前面）には、装飾用のシールＳが貼り付けられることがある。開閉部材Ｄ’の表面には、開閉部材Ｄ’に対するシールＳの貼付けの際の位置合わせを主目的とし、併せてシールＳの剥がれ防止を兼ねて、全周に亘って凹部２６が設けられ、この結果として、開閉部材Ｄ’の周縁部は中央部よりも僅かに高くなって、両部の間に段差部が形成されることが多い。図示例では、開閉部材Ｄ’が横長の長方形状であるため、前記凹部２６は、開閉部材Ｄ’の形状に対応している。また、凹部２６の深さは、シールＳの厚さよりも深いために、凹部２６にシールＳを嵌め込んで貼り付けた状態においても、シールＳの部分は、開閉部材Ｄ’の周縁部よりも凹んでいて、図８（ロ）に示されるように、シールＳを嵌め込んで貼り付けられた凹部２６と開閉部材Ｄ’の周縁部との境界部は、段差状のエッジ部５１となっている。ここで、エッジ部５１とは、段差面が遊技盤の盤面に対して略垂直か、或いはアンダーカット状になっていることをいう。
【０００５】
一方、パチンコ機の機枠と、これに対して手前側に開閉するガラス枠との間には、僅かに隙間が形成されており、この隙間から細い針金類を内部に挿入して、開閉部材Ｄ’の下端部のエッジ部５１に細い針金類の先端を引っ掛けて、開閉部材Ｄ’を手前側に開いて入賞させる不正行為が行われる恐れがある。また、チューリップ構造の入賞装置や、羽根部材の側方への開閉により入賞口が開閉する第２種の役物装置においても、羽根部材を装飾するために、その表面に凹部を形成してシールを嵌め込むことがある。この場合においては、羽根部材の開放側の周縁のエッジ部に針金類を引っ掛けると、上記開閉部材装置と同様の不正行為が行われる恐れがある。
【０００６】
【発明が解決しようとする課題】
本発明の課題は、手前側に開閉する開閉部材を有する可変入賞装置、或いは側方に開閉する羽根部材を有する役物装置を備えた遊技機において、羽根部材が不正に開かれて入賞させる不正行為を役物装置の構造自体で防止することである。
【０００７】
【課題を解決するための手段】
上記課題を解決するための第１解決手段（請求項１の発明）は、手前側に開閉する開閉部材の表面に凹部が全周に亘って形成されて、開閉部材の周縁に段差部が形成された可変入賞装置を備えた遊技機であって、開閉部材の下側の段差部は、その段差面が斜手前上方を向くように鈍角状に面取りされていることを特徴としている。
【０００８】
第１解決手段によれば、可変入賞装置を構成する開閉部材の下側の段差部は、その内側の凹部との間において、段差面が斜手前上方を向くように鈍角状に面取りされているために、針金類の先端部を前記段差部に引っ掛けて開閉部材を開こうとしても、針金類の先端は、鈍角状の段差面に引っ掛からずに、滑ってしまう。よって、可変入賞装置の開閉部材を構造的に変更するのみで、開閉部材を開いて可変入賞装置に入賞させる不正行為を防止できる。
【０００９】
また、第２解決手段は、側方に開閉する羽根部材の表面に凹部が全周に亘って形成されて、羽根部材の周縁に段差部が形成された役物装置を備えた遊技機であって、前記羽根部材の開放側の段差部は、その段差面が斜側方を向くように鈍角状に面取りされていることを特徴としている。
【００１０】
第２解決手段においても、第１解決手段とほぼ同様に、役物装置を構成する羽根部材の表面の開放側の周縁の段差部が鈍角状に面取りされて、エッジ部が存在しなくなるので、前記段差部に針金類を引っ掛けられなくなって、上記不正行為を防止できる。
【００１１】
【発明の実施の形態】
以下、実施形態を挙げて本発明を更に詳細に説明する。図１は、本発明に係る可変入賞装置Ａが組み込まれたパチンコ機の遊技面の正面図であり、図２は、可変入賞装置Ａの斜視図であり、図３は、可変入賞装置Ａを構成する開閉部材Ｄの斜視図であり、図４は、遊技盤１０に組み込まれた可変入賞装置Ａの一般入賞口１３の部分の縦断面図であり、図５は、同じく横断面図（平面断面図）である。
【００１２】
図１において、遊技盤１０には、外側及び内側の各案内レール１，２が取付けられて、各案内レール１，２によって囲まれる領域が遊技領域３となっており、各案内レール１，２が内外で二列となって重なりあって球発射通路４を形成している。球発射装置（図示せず）から発射された遊技球は、前記球発射通路４を通って、前記遊技領域３に放たれる。遊技領域３の略中央部には、センタ役物装置である特別図柄表示装置５が配設され、前記特別図柄表示装置５の左右両側方には、ゲート口６がそれぞれ配設されている。遊技領域３における特別図柄表示装置５の直下には、始動入賞口７及び可変入賞装置Ａが相上下して配設され、それらの左右両側方には、それぞれ一対一組となって第１及び第２の各サイド入賞口８，９がそれぞれ配設されている。また、特別図柄表示装置５の上部の左右両側には、遊技球を周辺に飛散させるための第１風車１１がそれぞれ配設されていると共に、特別図柄表示装置５の下部の左右両側には、第２風車１２がそれぞれ配設されている。
【００１３】
次に、図２ないし図５を参照にして、本発明に係る可変入賞装置Ａについて詳細に説明する。可変入賞装置Ａは、内部に一般入賞口１３及び特別入賞口１４が設けられた筐体１５の前部に装飾基板１６が一体に取付けられ、前記装飾基体１６の上下方向及び横方向の双方の中央部に開閉部材Ｄが手前側に開閉可能（回動可能）となって設けられた構成である。開閉部材Ｄは、横長の長方形状であって、その下端部の左右両端に設けられた一対の支持ピン１７を回動支点として、その上端部が手前側に回動して形成される開口が可変入賞口（大入賞口）１８（図７参照）となる。開閉部材Ｄは、遊技状態により発せられる開閉信号に基づいて、筐体１５の内部に配設されたソレノイド１９によって開閉する。
【００１４】
また、可変入賞装置Ａは、図４及び図５に示されるように、遊技盤１０に設けられたルーター孔２１に筐体１５の全体が挿入されて、その奥側の略半分は遊技盤１０の背面から更に後方に突出していると共に、筐体１５の前面に一体に取付けられた装飾基板１６が前記ルーター孔２１の全体を塞ぐようにして、遊技盤１０に密着した状態で複数本のビス（図示せず）を介して取付けられている。筐体１５の底板部には、一般入賞口１３及び特別入賞口１４が横方向に並んで配置されて、遊技球Ｂが各入賞口１３，１４を通過することを検出するセンサ２２，２３は、筐体１５の底板部１５ａに埋設された状態となっている。また、筐体１５の内部には、開閉部材Ｄが手前側に開いて形成された前記可変入賞口１８から内部に流入した遊技球Ｂを一般入賞口１３及び特別入賞口１４に誘導するための誘導壁１５ｂが形成されている。なお、本実施形態の可変入賞装置Ａは、装飾基板１６における開閉部材Ｄの左右両側に一体に取付けられた一対の支持片２４を介して無色透明の樹脂から成る装飾補助板２５が前記装飾基板１６に対して遊技球Ｂが通過し得る間隔をおいて遊技盤１０の前面に配設されたガラス板４０（図５参照）に近接して配置される。
【００１５】
また、可変入賞装置Ａを構成する開閉部材Ｄの表面（前面）には、図３、図４及び図８（イ）に示されているように、装飾用のシールＳが貼り付けられている。即ち、開閉部材Ｄの表面には、前記シールＳを嵌め込むための凹部２６が形成され、前記凹部２６にシールＳが嵌め込まれた状態で貼り付けられていて、シールＳを貼り付けた状態においても、シールＳの部分は、開閉部材Ｄの周縁部に対して凹んでいる。シールＳは、開閉部材Ｄよりも僅かに小さい横長の長方形状であって、前記凹部２６は、シールＳの形状に対応しているため、開閉部材Ｄは、その全周に亘って段差部２７が形成されている。そして、開閉部材Ｄの周縁のうち上縁と左右両側縁の段差部２７は、従来構造と同様にエッジ状となっているが、下縁の段差部２７は、その内側の凹部２６との間において、段差面２８が斜め手前上方を向くように鈍角状に面取りされている。なお、図２ないし図５において、２９は、開閉部材Ｄの支持ピン１７を回動可能に支持した状態で、その全体が遊技盤１０に嵌め込まれる支持ピン受けを示す。
【００１６】
また、特別図柄表示装置５には、絵柄、英数字、記号等を表示する液晶表示器、ＣＲＴ表示器、ＬＥＤ表示器等の表示器が使用され、特別図柄表示装置５の図柄は、始動入賞口７に遊技球が入賞することにより変動を開始して、所定時間変動した後に停止する。そして、停止したときの複数の図柄が特定の表示態様になって開始される「大当り遊技」において、前記可変入賞装置Ａの前面の開閉部材Ｄが手前側に開いて形成される可変入賞口１８に、所定時間（例えば、３０秒）、或いは所定個数（例えば、１０個）の入賞があるまで、可変入賞口１８は、開放された状態を維持する。また、開閉部材Ｄの起立により可変入賞口１８が閉じられた後においても、前記可変入賞口１８を通って筐体１５の内部に流入した遊技球（入賞球）が、内部の特別入賞口１４を通過すると、再度、開閉部材Ｄが手前側に倒れることにより可変入賞口１８が開放されて、最高１６回（ラウンド）だけ、上記「大当り遊技」が繰り返される。
【００１７】
また、特別図柄表示装置５を囲むようにして設けられた装飾枠体３１の上部には、赤色及び緑色の発光ダイオードから成る表示ランプ３２，３３が配設されている。両表示ランプ３２，３３は、遊技球がゲート口６を通過して、ゲートセンサ（図示せず）により検出されると、交互に所定時間（例えば、３０秒）だけ点滅する。そして、点滅を停止したときの点灯色が当り色（例えば、緑色）の表示ランプ３３が点灯しているときには、可変入賞装置Ａの開閉部材Ｄが手前側に倒れて、一定時間（例えば、０．４秒）だけ可変入賞口１８が開かれる構成となっている。なお、図１において、３４は、いずれの入賞口にも入賞しなかった遊技球を回収するアウト口を示す。
【００１８】
このように、可変入賞装置Ａの開閉部材Ｄが手前側に開放されて可変入賞口１８が開くと、入賞確率が大幅に高まって、遊技者に対して大きな利益をもたらす。そこで、遊技者がパチンコ機の隙間から細い針金類Ｗを遊技盤１０とガラス板４０の間の空間部に挿入して、図４に示されるように、可変入賞装置Ａの開閉部材Ｄの下端の段差部２７に前記針金類Ｗの先端を引っ掛けて、開閉部材Ｄを手前側に開こうとしても、前記段差部２７が鈍角状に面取りされているために、滑って引っ掛からない。このため、開閉部材Ｄの構造のみによって、可変入賞装置Ａに遊技球を不正に入賞させる行為を防止できる。
【００１９】
また、一対のチューリップ片が開閉して入賞口が開閉される入賞装置や、羽根部材の側方への開閉により入賞口が開閉する第２種の役物装置において、前記チューリップ片、羽根部材の表面に凹部を形成してシールを嵌め込んで貼り付ける場合にも、前記チューリップ片、羽根部材の開放側の段差部に鈍角状の面取りを施してエッジ部を解消すると、針金類を開放側のエッジ部に引っ掛けて、チューリップ片、羽根部材を開くことにより入賞させる不正行為を防止できる。
【００２０】
また、可変入賞装置を構成する開閉部材、或いは一般の役物装置を構成する羽根部材の中央部に凹部が設けられる構成に関しても、周縁にリブを設けることにより、このリブで囲まれる中央部が凹んだ構成であっても可能であり、この場合には、開閉部材に関しては下側のリブの部分に、羽根部材に関しては開放側のリブの部分に鈍角状の面取りが施された形態にすればよい。
【００２１】
また、実施形態では、可変入賞装置Ａを構成する開閉部材Ｄの下側の段差部２７に施される面取りは平面状のものであるが、上面が凸面となったアール面取りを施してもよい。これにより、針金類の先端の引っ掛かりが一層困難となって、上記不正行為を一層確実に防止できる。
【００２２】
【発明の効果】
本発明によれば、手前側に開閉する開閉部材を有する可変入賞装置、或いは側方に開閉する羽根部材を有する役物装置を備えた遊技機において、前記開閉部材、或いは前記羽根部材の構造の改良のみによって、開閉部材、或いは羽根部材が不正に開かれて入賞させる不正行為を確実に防止できる。
【図面の簡単な説明】
【図１】本発明に係る可変入賞装置Ａが組み込まれたパチンコ機の遊技面の正面図である。
【図２】可変入賞装置Ａの斜視図である。
【図３】可変入賞装置Ａを構成する開閉部材Ｄの斜視図である。
【図４】遊技盤１０に組み込まれた可変入賞装置Ａの一般入賞口１３の部分の縦断面図である。
【図５】同じく横断面図（平面断面図）である。
【図６】従来の可変入賞装置Ａ’の斜視図である。
【図７】遊技盤１０に組み込まれた従来の可変入賞装置Ａ’の一般入賞口１３の部分の縦断面図である。
【図８】（イ），（ロ）は、それぞれ本発明に係る可変入賞装置Ａ及び従来の可変入賞装置Ａ’の各開閉部材Ｄ，Ｄ’の下端の段差部２７の部分の拡大縦断面図である。
【符号の説明】
Ａ：可変入賞装置
Ｄ：開閉部材
２６：開閉部材の凹部
２７：段差部
２８：段差面
【図１】
2004329466.tif 000003
【図２】
2004329466.tif 000004
【図３】
2004329466.tif 000005
【図４】
2004329466.tif 000006
【図５】
2004329466.tif 000007
【図６】
2004329466.tif 000008
【図７】
2004329466.tif 000009
【図８】
2004329466.tif 000010